(57)【要約】【課題】互いに独立した複数の刺繍模様を組み合わせて縫製する際に、一の刺繍模様を縫製後、その刺繍模様と組み合わせて使用できる刺繍模様の刺繍データを自動で抽出可能にする。【解決手段】ミシンは模様４１を縫製する。模様４１の縫製が完了したら、ミシンのＣＰＵは組み合わせテーブルを参照し、模様４１と組み合わせて使用可能な未縫製の模様４２〜４５に対応する刺繍データを抽出する。ミシンは模様４２を縫製する。模様４２の縫製が完了したら、ＣＰＵは組み合わせテーブルを参照し、模様４２と組み合わせて使用可能な未縫製の模様４３〜４５に対応する刺繍データを抽出する。同様に模様４３〜４５の縫製が完了したら、ＣＰＵは模様４５と組み合わせて使用可能な未縫製の模様はないと判断する。加工布に合成刺繍４６の縫製が完了する。【選択図】図２
2013111275.tif 000002
【特許請求の範囲】
【請求項１】
互いに独立した複数の刺繍模様にそれぞれ対応する複数の刺繍データを記憶する刺繍データ記憶手段と、
前記刺繍データ記憶手段に記憶された前記複数の刺繍データの中から一の刺繍データを選択する選択手段と、
前記選択手段により選択された前記刺繍データに基づき、前記刺繍模様を被縫製物に縫製する第一縫製手段と、
前記選択手段により選択された前記刺繍模様と組み合わせて使用可能な他の刺繍模様に対応する他の刺繍データを、前記刺繍データ記憶手段に記憶された前記複数の刺繍データの中から抽出する抽出手段と、
前記抽出手段により抽出された前記他の刺繍データに基づき、前記他の刺繍模様を前記被縫製物に縫製する第二縫製手段と
を備えたことを特徴とするミシン。
【請求項２】
前記刺繍データ記憶手段に記憶された各刺繍データにそれぞれ対応する刺繍模様と組み合わせて使用可能な他の刺繍模様を特定する為の組み合わせ情報を記憶する組み合わせ情報記憶手段を備え、
前記抽出手段は、前記組み合わせ情報によって特定される前記他の刺繍模様に対応する前記他の刺繍データを抽出することを特徴とする請求項１に記載のミシン。
【請求項３】
前記組み合わせ情報は、前記被縫製物における前記他の刺繍模様の縫製位置を特定する位置情報を含み、
前記第二縫製手段は、前記位置情報によって特定される前記縫製位置に、前記他の刺繍模様を縫製することを特徴とする請求項２に記載のミシン。
【請求項４】
表示部と、
前記選択手段によって選択された前記刺繍データに対応する前記刺繍模様と、前記抽出手段によって抽出された前記他の刺繍データに対応する他の刺繍模様とを前記表示部に表示する表示制御手段と
を備えたことを特徴とする請求項１から３の何れかに記載のミシン。
【請求項５】
ミシンのコンピュータに、
互いに独立した複数の刺繍模様にそれぞれ対応する複数の刺繍データを記憶する刺繍データ記憶手段に記憶された前記複数の刺繍データの中から一の刺繍データを選択する選択ステップと、
前記選択ステップにおいて選択された前記刺繍データに基づき、前記刺繍模様を被縫製物に縫製する第一縫製ステップと、
前記選択ステップにおいて選択された前記刺繍模様と組み合わせて使用可能な他の刺繍模様に対応する他の刺繍データを、前記刺繍データ記憶手段に記憶された前記複数の刺繍データの中から抽出する抽出ステップと、
前記抽出ステップにおいて抽出された前記他の刺繍データに基づき、前記他の刺繍模様を前記被縫製物に縫製する第二縫製ステップと
を実行させる為のミシン制御プログラム。
【請求項６】
互いに独立した複数の刺繍模様にそれぞれ対応する複数の刺繍データを記憶する刺繍データ記憶手段と、
前記刺繍データ記憶手段に記憶された前記複数の刺繍データの中から一の刺繍データを選択する選択手段と、
前記選択手段により選択された前記刺繍模様と組み合わせて使用可能な他の刺繍模様に対応する他の刺繍データを、前記刺繍データ記憶手段に記憶された前記複数の刺繍データの中から抽出する抽出手段と
を備えることを特徴とする刺繍データ処理装置。
【請求項７】
刺繍データ処理装置に内蔵されたコンピュータに、
互いに独立した複数の刺繍模様にそれぞれ対応する複数の刺繍データを記憶する刺繍データ記憶手段に記憶された前記複数の刺繍データの中から一の刺繍データを選択する選択ステップと、
前記選択ステップにおいて選択された前記刺繍模様と組み合わせて使用可能な他の刺繍模様に対応する他の刺繍データを、前記刺繍データ記憶手段に記憶された前記複数の刺繍データの中から抽出する抽出ステップと
を実行させる為の刺繍データ処理プログラム。
【発明の詳細な説明】
【技術分野】
【０００１】
本発明は、刺繍模様を縫製できるミシン、ミシン制御プログラム、刺繍データ処理装置、及び刺繍データ処理プログラムに関する。
【背景技術】
【０００２】
従来、縫製対象である加工布に、文字、記号、図柄等の刺繍模様を刺繍縫製することができるミシンが知られている。ユーザは、このようなミシンを用いて、例えばミシンに予め登録されている複数の刺繍模様の中から一の刺繍模様を選択し、その選択した刺繍模様を加工布に縫製する作業を行う。各刺繍模様は通常それ単独で使用されるので装飾性の高いものが多い。ユーザは例えばこのような刺繍模様を互いに組み合わせて縫製することによって、より装飾性の高い刺繍（以下、「合成刺繍」という。）を加工布に形成したい場合がある。例えば、特許文献１には、基準位置を表す印を加工布に形成し、刺繍縫製する複数の刺繍模様の位置合わせが容易となるミシンが開示されている。
【先行技術文献】
【特許文献】
【０００３】
【特許文献１】特開平６−３１９８７９号公報
【発明の概要】
【発明が解決しようとする課題】
【０００４】
しかしながら、特許文献１に記載のミシンで合成刺繍を縫製する場合、ユーザは、刺繍模様毎に、加工布に形成された基準位置を示す縫目を基準として縫製位置を決定する必要があり、作業に手間がかかるという問題点があった。また、従来のミシンでは、ユーザは１つの刺繍模様を縫製した後、改めて次の刺繍模様をユーザ自ら選択して縫製しなければならず、作業に手間がかかるという問題点があった。また、ユーザは、例えばミシンの編集機能を使って、合成刺繍のデータを作成してから加工布に縫製することもできるが、その合成刺繍のデータを作成する為の時間と手間がかかるという問題点もあった。
【０００５】
本発明の目的は、互いに独立した複数の刺繍模様を組み合わせて縫製する際に、一の刺繍模様を縫製後、その刺繍模様と組み合わせて使用できる刺繍模様の刺繍データを自動で抽出可能なミシン、ミシン制御プログラム、刺繍データ処理装置、及び刺繍データ処理プログラムを提供することである。
【課題を解決するための手段】
【０００６】
本発明の第一態様に係るミシンは、互いに独立した複数の刺繍模様にそれぞれ対応する複数の刺繍データを記憶する刺繍データ記憶手段と、前記刺繍データ記憶手段に記憶された前記複数の刺繍データの中から一の刺繍データを選択する選択手段と、前記選択手段により選択された前記刺繍データに基づき、前記刺繍模様を被縫製物に縫製する第一縫製手段と、前記選択手段により選択された前記刺繍模様と組み合わせて使用可能な他の刺繍模様に対応する他の刺繍データを、前記刺繍データ記憶手段に記憶された前記複数の刺繍データの中から抽出する抽出手段と、前記抽出手段により抽出された前記他の刺繍データに基づき、前記他の刺繍模様を前記被縫製物に縫製する第二縫製手段とを備えている。
【０００７】
前記ミシンでは、抽出手段は、選択手段により選択された刺繍模様と組み合わせて使用可能な他の刺繍模様に対応する他の刺繍データを、刺繍データ記憶手段に記憶された複数の刺繍データの中から抽出する。これにより、ユーザは、互いに独立した複数の刺繍模様を組み合わせて縫製する場合、例えば、刺繍模様を縫製する度に、刺繍模様に対応する刺繍データの作成や編集を行う必要や、刺繍模様を縫製する際の位置合わせを行う必要はない。よって、面倒な設定や操作を行うことなく速やかに縫製することができる。また、例えば、単体でも装飾性を持ち刺繍模様として価値のある刺繍模様がある。このような刺繍模様を組み合わせて縫製することにより、装飾性のより高い合成刺繍を作成することができる。
【０００８】
前記ミシンでは、前記刺繍データ記憶手段に記憶された各刺繍データにそれぞれ対応する刺繍模様と組み合わせて使用可能な他の刺繍模様を特定する為の組み合わせ情報を記憶する組み合わせ情報記憶手段を備え、前記抽出手段は、前記組み合わせ情報によって特定される前記他の刺繍模様に対応する前記他の刺繍データを抽出してもよい。これにより、ユーザは、互いに独立した複数の刺繍模様を組み合わせて縫製する場合、組み合わせ情報記憶手段に記憶された組み合わせ情報によって、互いに独立した複数の刺繍模様の組み合わせが特定されるので、刺繍模様毎に面倒な設定や操作を行うことなく速やかに縫製することができる。
【０００９】
前記ミシンでは、前記組み合わせ情報は、前記被縫製物における前記他の刺繍模様の縫製位置を特定する位置情報を含み、前記第二縫製手段は、前記位置情報によって特定される前記縫製位置に、前記他の刺繍模様を縫製してもよい。これにより、ユーザは、互いに独立した複数の刺繍模様を組み合わせて縫製する場合、組み合わせ情報記憶手段に記憶された組み合わせ情報に含まれる位置情報によって、互いに独立した複数の刺繍模様の組み合わせが特定されるので、刺繍模様毎に面倒な設定や操作を行うことなく速やかに縫製することができる。
【００１０】
前記ミシンでは、表示部と、前記選択手段によって選択された前記刺繍データに対応する前記刺繍模様と、前記抽出手段によって抽出された前記他の刺繍データに対応する他の刺繍模様とを前記表示部に表示する表示制御手段とを備えてもよい。表示制御手段は、表示部に選択手段によって選択された刺繍データに対応する刺繍模様と、抽出手段によって抽出された他の刺繍データに対応する他の刺繍模様とを表示部に表示する。これにより、ユーザは、表示部に表示された選択手段によって選択された刺繍データに対応する刺繍模様と、抽出手段によって抽出された他の刺繍データに対応する他の刺繍模様とを視認することができる。
【００１１】
本発明の第二態様に係るミシン制御プログラムは、ミシンのコンピュータに、互いに独立した複数の刺繍模様にそれぞれ対応する複数の刺繍データを記憶する刺繍データ記憶手段に記憶された前記複数の刺繍データの中から一の刺繍データを選択する選択ステップと、前記選択ステップにおいて選択された前記刺繍データに基づき、前記刺繍模様を被縫製物に縫製する第一縫製ステップと、前記選択ステップにおいて選択された前記刺繍模様と組み合わせて使用可能な他の刺繍模様に対応する他の刺繍データを、前記刺繍データ記憶手段に記憶された前記複数の刺繍データの中から抽出する抽出ステップと、前記抽出ステップにおいて抽出された前記他の刺繍データに基づき、前記他の刺繍模様を前記被縫製物に縫製する第二縫製ステップとを実行させる。抽出ステップは、選択ステップにおいて選択された刺繍模様と組み合わせて使用可能な他の刺繍模様に対応する他の刺繍データを、刺繍データ記憶手段に記憶された複数の刺繍データの中から抽出する。これにより、ユーザは、互いに独立した複数の刺繍模様を組み合わせて縫製する場合、刺繍模様毎に面倒な設定や操作を行うことなく速やかに縫製することができる。
【００１２】
本発明の第三態様に係る刺繍データ処理装置は、互いに独立した複数の刺繍模様にそれぞれ対応する複数の刺繍データを記憶する刺繍データ記憶手段と、前記刺繍データ記憶手段に記憶された前記複数の刺繍データの中から一の刺繍データを選択する選択手段と、前記選択手段により選択された前記刺繍模様と組み合わせて使用可能な他の刺繍模様に対応する他の刺繍データを、前記刺繍データ記憶手段に記憶された前記複数の刺繍データの中から抽出する抽出手段とを備えている。抽出手段は、選択手段により選択された刺繍模様と組み合わせて使用可能な他の刺繍模様に対応する他の刺繍データを、刺繍データ記憶手段に記憶された前記複数の刺繍データの中から抽出する。これにより、ユーザは、互いに独立した複数の刺繍模様を組み合わせて縫製する場合、選択手段により選択された刺繍模様と組み合わせて使用可能な他の刺繍模様に対応する他の刺繍データを、刺繍データ記憶手段に記憶された複数の刺繍データの中から速やかに抽出することができる。
【００１３】
本発明の第四態様に係る刺繍データ処理プログラムは、刺繍データ処理装置に内蔵されたコンピュータに、互いに独立した複数の刺繍模様にそれぞれ対応する複数の刺繍データを記憶する刺繍データ記憶手段に記憶された前記複数の刺繍データの中から一の刺繍データを選択する選択ステップと、前記選択ステップにおいて選択された前記刺繍模様と組み合わせて使用可能な他の刺繍模様に対応する他の刺繍データを、前記刺繍データ記憶手段に記憶された前記複数の刺繍データの中から抽出する抽出ステップとを実行させる。抽出ステップは、選択ステップにおいて選択された刺繍模様と組み合わせて使用可能な他の刺繍模様に対応する他の刺繍データを、刺繍データ記憶手段に記憶された複数の刺繍データの中から抽出する。これにより、ユーザは、互いに独立した複数の刺繍模様を組み合わせて縫製する場合、選択手段により選択された刺繍模様と組み合わせて使用可能な他の刺繍模様に対応する他の刺繍データを、刺繍データ記憶手段に記憶された複数の刺繍データの中から速やかに抽出することができる。
【図面の簡単な説明】
【００１４】
【図１】ミシン１の斜視図である。
【図２】模様４１〜４５を組み合わせて合成刺繍４６を作成する一例を示す説明図である。
【図３】ミシン１の電気的構成を示すブロック図である。
【図４】組み合わせ情報テーブル２１の概念図である。
【図５】組み合わせ情報テーブル２２の概念図である。
【図６】組み合わせ情報テーブル２３の概念図である。
【図７】組み合わせ情報テーブル２４の概念図である。
【図８】組み合わせ情報テーブル２５の概念図である。
【図９】合成刺繍４６の縫製エリアの一例を示す説明図である。
【図１０】組み合わせ縫製処理のフローチャートである。
【図１１】レイアウト選択画面５１の一例を示す説明図である。
【図１２】モード選択画面５２の一例を示す説明図である。
【図１３】組み合わせ画面５３の一例を示す説明図である。
【図１４】単体画面５４の一例を示す説明図である。
【発明を実施するための形態】
【００１５】
以下、本発明の一実施の形態であるミシン１について、図面を参照して説明する。参照する図面は、本開示が採用し得る技術的特徴を説明するために用いるものであり、記載している装置の構成等は、それのみに限定する趣旨ではなく、単なる説明例である。以下の説明において、図１の右斜め下方、左斜め上方、右斜め上方、左斜め下方、下方、上方を、夫々、ミシン１の前方、後方、右方、左方、下方、上方とする。
【００１６】
まず、図１を参照して、ミシン１の物理的構成について説明する。ミシン１は、ベッド部１１、脚柱部１２、アーム部１３、及び頭部１４を有する。ベッド部１１は、左右方向に長い、ミシン１の土台部である。脚柱部１２は、ベッド部１１の右端部から上方へ延びる。アーム部１３は、ベッド部１１に対向して脚柱部１２の上端から左方へ延びる。頭部１４は、アーム部１３の左先端に連結する部位である。ベッド部１１の上面には、針板（図示略）が配設されている。針板の下側（つまり、ベッド部１１内）には、図示しない送り歯、送り機構、釜機構、及び送り量調整用パルスモータ７８（図３参照）が設けられている。送り歯は、送り機構によって駆動されて、加工布を所定の送り量で移送する。送り歯の送り量は、送り量調整用パルスモータ７８によって調整される。
【００１７】
ベッド部１１の上側には、加工布１００を保持する刺繍枠３４を配置可能である。刺繍枠３４は、内枠と外枠とで加工布１００を挟持して保持する周知の構成を有する。刺繍枠３４を移送する刺繍枠移送装置３３は、周知の構成であるので簡単に説明する。刺繍枠移送装置３３は、ベッド部１１に対して着脱可能である。刺繍枠移送装置３３の上部には、前後方向に延びるキャリッジ３５が設けられる。キャリッジ３５の内部には、刺繍枠３４を着脱可能な枠ホルダ（図示略）と、枠ホルダを前後方向（Ｙ方向）に移送するＹ軸移送機構（図示略）とが設けられている。Ｙ軸移送機構は、Ｙ軸モータ８４（図３参照）により駆動される。
【００１８】
刺繍枠移送装置３３の本体内には、キャリッジ３５を左右方向（Ｘ方向）に移送するＸ軸移送機構（図示略）が設けられている。Ｘ軸移送機構は、Ｘ軸モータ８３（図３参照）により駆動される。キャリッジ３５が左右方向（Ｘ方向）に移送されるのに伴って、刺繍枠３４が左右方向（Ｘ方向）に移送される。
【００１９】
刺繍枠３４が左右方向（Ｘ方向）、及び前後方向（Ｙ方向）に移送されるのと併せて、針棒（図示略）や釜機構（図示略）が駆動されることで、針棒（図示略）に装着された縫針（図示略）により、刺繍枠３４に保持された加工布１００に対して刺繍模様が縫製される。刺繍模様ではない通常の実用模様の縫製時には、ベッド部１１から刺繍枠移送装置３３が取り外された状態で、送り歯により加工布１００が移動されながら縫製が行われる。
【００２０】
脚柱部１２の前面には、縦長の長方形状の液晶ディスプレイ（以下、「ＬＣＤ」という。）１５が設けられている。ＬＣＤ１５には、コマンド、イラスト、設定値、メッセージ等の様々な項目を含む画像が表示される。ＬＣＤ１５の前面側には、タッチパネル２６が設けられている。ユーザが、指や専用のタッチペンを用いてタッチパネル２６の押圧操作を行うと（以下、この操作を「パネル操作」という。）、タッチパネル２６によって検知される押圧位置に対応して、どの項目が選択されたかが認識される。ユーザは、このようなパネル操作によって、縫製したい模様や実行すべきコマンドを選択できる。
【００２１】
アーム部１３は、その上部に、開閉可能なカバー１６を備えている。カバー１６の下方、つまりアーム部１３内の略中央部には、糸駒２０が収容される凹部である糸収容部１８が設けられている。糸収容部１８の脚柱部１２側の内壁面には、頭部１４に向かって左方へ突出する糸立棒１９が設けられている。糸駒２０は、その挿入孔（図示略）に糸立棒１９が挿入された状態で、糸収容部１８に装着される。
【００２２】
糸駒２０に巻回された上糸（図示略）は、糸駒２０から、頭部１４に設けられた糸掛部（図示略）を経由して、針棒（図示略）に装着された縫針（図示略）に供給される。針棒（図示略）は、頭部１４内に設けられた針棒上下動機構（図示略）により、上下動するように駆動される。針棒上下動機構は、ミシンモータ７９（図３参照）により回転駆動する主軸（図示略）によって駆動される。頭部１４の下端部からは、加工布１００を押える押え足９２が交換可能に装着される押え棒９１が下方に延びている。また、アーム部１３の前面下部には、開始・停止スイッチ３２を含む複数の操作スイッチが設けられている。
【００２３】
次に、図２を参照して、ミシン１で縫製できる合成刺繍について説明する。模様４１〜４５は、通常、単独で使用される模様である。合成刺繍４６は、模様４１〜４５を互いに組み合わせて縫製できる合成刺繍の一例である。合成刺繍４６は、模様４１〜４５を夫々単独で使用した場合と全く異なるイメージを有する。本実施形態のミシン１は、パネル操作にて例えば合成刺繍４６を縫製可能とする。
【００２４】
次に、図３を参照して、ミシン１の電気的構成について説明する。図３に示すように、ミシン１の制御部６０は、ＣＰＵ６１、ＲＯＭ６２、ＲＡＭ６３、外部アクセスＲＡＭ６８、カードスロット１７、入力インターフェイス６５、及び出力インターフェイス６６を備えている。これらはバス６７により相互に電気的に接続されている。入力インターフェイス６５には、電源スイッチ３１、開始・停止スイッチ３２を含む複数の操作スイッチ、及びタッチパネル２６等が電気的に接続されている。
【００２５】
ＣＰＵ６１はミシン１の動作を統括制御する。ＲＯＭ６２は、プログラム記憶領域６２Ａ、刺繍データ記憶領域６２Ｂ、組み合わせ情報テーブル記憶領域６２Ｃ、画像データ記憶領域６２Ｄ等を備えている。プログラム記憶領域６２Ａは、ミシン１の動作を制御するための各種プログラム等を記憶する。刺繍データ記憶領域６２Ｂは、例えば、図２に示す模様４１〜４５の各刺繍データを夫々記憶している。これら各刺繍データは、ミシン１で縫製可能な様々な実用模様、及び刺繍模様の刺繍データの一例である。なお、刺繍データとは、縫針（図示略）が加工布１００に刺さる位置である針落ち点を示すデータである。なお刺繍データは例えば糸の色を示す糸色情報を含む場合がある。組み合わせ情報テーブル記憶領域６２Ｃは、例えば、後述する組み合わせ情報テーブル２１〜２５（図４〜８参照）を記憶する。画像データ記憶領域６２Ｄは、ＬＣＤ１５に表示する各種画像の画像データを記憶する。
【００２６】
ＲＡＭ６３は、縫製中番号記憶領域６３Ａ、バッファ６３Ｂを備えている。縫製中番号記憶領域６３Ａは、後述する組み合わせモードにおいて、例えば縫製中の模様４１〜４５に夫々対応した刺繍データの識別番号を記憶する。バッファ６３Ｂは、例えばＣＰＵ６１がミシン１を制御する際に必要なデータを一時的に記憶する。
【００２７】
外部アクセスＲＡＭ６８には、カードスロット１７が接続されている。カードスロット１７は、メモリカード（図示略）と接続可能である。カードスロット１７とメモリカードとを接続すれば、ミシン１は、メモリカードの情報の読み取り、及び書き込みを行うことができる。
【００２８】
出力インターフェイス６６には、駆動回路７１〜７４、８５、及び８６が電気的に接続されている。駆動回路７１は、送り量調整用パルスモータ７８を駆動させる。駆動回路７２は、ミシンモータ７９を駆動させる。駆動回路７３は、針棒（図示略）を揺動させる針棒揺動機構（図示略）を駆動する針振りパルスモータ８０を駆動させる。ただし、刺繍模様の縫製時には、送り量調整用パルスモータ７８、及び針振りパルスモータ８０は駆動されない。駆動回路７４は、ＬＣＤ１５を駆動させる。駆動回路８５、及び８６は、刺繍枠３４を移送するためのＸ軸モータ８３、及びＹ軸モータ８４を夫々駆動する。
【００２９】
次に、図４〜８を参照して、組み合わせ情報テーブル２１〜２５について説明する。組み合わせ情報テーブル２１〜２５には、識別番号と、縫製済情報と、位置情報と、組み合わせ情報とが夫々対応づけられて記憶されている。識別番号は、刺繍データを識別する為の番号である。本実施形態では、模様４１の刺繍データＤ１の識別番号をＤ１とする。模様４２の刺繍データＤ２の識別番号をＤ２とする。模様４３の刺繍データＤ３の識別番号をＤ３とする。模様４４の刺繍データＤ４の識別番号をＤ４とする。模様４５の刺繍データＤ５の識別番号をＤ５とする。縫製済情報は、例えば対象とする模様の縫製が済んだか否かを示す情報である。例えば未縫製の場合は０、縫製済みの場合は１である。位置情報は、例えば合成刺繍４６を縫製する際に、模様４１〜４５の各位置を特定する為の情報である。組み合わせ情報は、例えば対象とする模様と組み合わせて使用できる模様の刺繍データに関する情報である。
【００３０】
ここで、図９を参照して、模様４１〜４５の位置情報について説明する。合成刺繍４６の領域は、上左エリア４６Ａ、上中エリア４６Ｂ、上右エリア４６Ｃ、中左エリア４６Ｄ、中中エリア４６Ｅ、中右エリア４６Ｆ、下左エリア４６Ｇ、下中エリア４６Ｈ、及び下右エリア４６Ｉの９つのエリアに分割される。上左エリア４６Ａは上段左側のエリアである。上中エリア４６Ｂは上段中央のエリアである。上右エリア４６Ｃは上段右側のエリアである。中左エリア４６Ｄは中段左側のエリアである。中中エリア４６Ｅは中段中央のエリアである。中右エリア４６Ｆは中段右側のエリアである。下左エリア４６Ｇは下段左側のエリアである。下中エリア４６Ｈは下段中央のエリアである。下右エリア４６Ｉは下段右側のエリアである。位置情報はこれら図２に示す模様４１〜４５を夫々縫製する各エリア４６Ａ〜４６Ｉを示す情報である。
【００３１】
図４に示す組み合わせ情報テーブル２１には、例えば図２に示す模様４１の各種情報が記憶されている。識別番号としてＤ１が記憶されている。縫製済情報として０が記憶されている。位置情報として上中エリア４６Ｂを示す情報等が記憶されている。組み合わせ情報として、刺繍データＤ２〜Ｄ５の識別番号が記憶されている。Ｄ２〜Ｄ５は、模様４１と組み合わせて使用することが可能な模様４２〜４５の識別番号である。
【００３２】
図５に示す組み合わせ情報テーブル２２には、例えば図２に示す模様４２の各種情報が記憶されている。識別番号としてＤ２が記憶されている。縫製済情報として０が記憶されている。位置情報として中中エリア４６Ｅを示す情報が記憶されている。組み合わせ情報として、刺繍データＤ１、Ｄ３〜Ｄ５の識別番号が記憶されている。Ｄ１、Ｄ３〜Ｄ５は、模様４２と組み合わせて使用することが可能な模様４１、４３〜４５の識別番号である。
【００３３】
図６に示す組み合わせ情報テーブル２３には、例えば図２に示す模様４３の各種情報が記憶されている。識別番号としてＤ３が記憶されている。縫製済情報として０が記憶されている。位置情報として中左エリア４６Ｄを示す情報が記憶されている。組み合わせ情報として、刺繍データＤ１、Ｄ２、Ｄ４、Ｄ５の識別番号が記憶されている。Ｄ１、Ｄ２、Ｄ４、Ｄ５は、模様４３と組み合わせて使用することが可能な模様４１、４２、４４、４５の識別番号である。
【００３４】
図７に示す組み合わせ情報テーブル２４には、例えば図２に示す模様４４の各種情報が記憶されている。識別番号としてＤ４が記憶されている。縫製済情報として０が記憶されている。位置情報として下中エリア４６Ｈを示す情報が記憶されている。組み合わせ情報として、刺繍データＤ１〜Ｄ３、Ｄ５の識別番号が記憶されている。Ｄ１〜Ｄ３、Ｄ５は、模様４４と組み合わせて使用することが可能な模様４１〜４３、４５の識別番号である。
【００３５】
図８に示す組み合わせ情報テーブル２５には、例えば図２に示す模様４５の各種情報が記憶されている。識別番号としてＤ５が記憶されている。縫製済情報として０が記憶されている。位置情報として中右エリア４６Ｆを示す情報が記憶されている。組み合わせ情報として、刺繍データＤ１〜Ｄ４の識別番号が記憶されている。Ｄ１〜Ｄ４は、模様４５と組み合わせて使用することが可能な模様４１〜４４の識別番号である。
【００３６】
次に、図１０を参照し、ミシン１のＣＰＵ６１によって実行される組み合わせ縫製処理について説明する。本処理は、ユーザのパネル操作により「組み合わせ縫製機能」が選択された場合に、ＣＰＵ６１がＲＯＭ６２のプログラム記憶領域６２Ａに記憶された「組み合わせ縫製処理プログラム」を呼び出して実行する処理である。
【００３７】
先ず、ＣＰＵ６１は、ＬＣＤ１５にレイアウト選択画面５１（図１１参照）を表示する（Ｓ１）。レイアウト選択画面５１の画像データはＲＯＭ６２の画像データ記憶領域６２Ｄから取得される。例えば、図１１に示すように、レイアウト選択画面５１は、例えば、レイアウト画像１４６〜１４８と、確定ボタン５とを表示する。レイアウト画像１４６は、例えば模様４１〜４５をレイアウトしてできる合成刺繍４６を含むイメージ画像である。レイアウト画像１４７は、例えば図示しない複数の模様をレイアウトしてできる合成刺繍４７を含むイメージ画像である。レイアウト画像１４８は、例えば図示しない複数の模様をレイアウトしてできる合成刺繍４８を含むイメージ画像である。確定ボタン５は、ユーザのパネル操作による選択を確定する為のボタンである。ユーザは、例えばＬＣＤ１５に表示されたレイアウト画像１４６〜１４８の中から一のレイアウト画像を指でタッチして選択し、確定ボタン５をタッチすることでレイアウト画像の選択を確定させる。
【００３８】
次いで、ＣＰＵ６１は、レイアウト画像の選択が確定したか否か判断する（Ｓ２）。ＣＰＵ６１は、レイアウト画像の選択が確定するまでは（Ｓ２：ＮＯ）、Ｓ２に戻って待機状態となる。例えば、ユーザによりレイアウト画像１４６の選択が確定したと判断した場合（Ｓ２：ＹＥＳ）、モード選択画面５２（図１２参照）をＬＣＤ１５に表示する（Ｓ３）。
【００３９】
モード選択画面５２は、例えば、レイアウト画像１４６、模様画像１４１〜１４５、組み合わせボタン６、単体ボタン７、確定ボタン８、及び終了ボタン９を表示する。模様画像１４１は模様４１を含む画像である。模様画像１４２は模様４２を含む画像である。模様画像１４３は模様４３を含む画像である。模様画像１４４は模様４４を含む画像である。模様画像１４５は模様４５を含む画像である。模様画像１４１の左上角部には例えばＤ１が表示される。模様画像１４２の左上角部には、例えばＤ２が表示される。模様画像１４３の左上角部には、例えばＤ３が表示される。模様画像１４４の左上角部には、例えばＤ４が表示される。模様画像１４５の左上角部には、例えばＤ５が表示される。なお、モード選択画面５２の模様画像１４１〜１４５の各画像データは、ＲＯＭ６２の画像データ記憶領域６２Ｄから取得される。
【００４０】
組み合わせボタン６は、例えば組み合わせモードを設定する為のボタンである。組み合わせモードは、例えば模様画像１４１〜１４５を組み合わせて縫製し、合成刺繍４６を縫製する為の動作モードである。単体ボタン７は、例えば単体モードを設定する為のボタンである。単体モードは、例えば模様画像１４１〜１４５の何れかを単体で縫製する為の動作モードである。確定ボタン８は選択を確定する為のボタンである。終了ボタン９は処理を終了する為のボタンである。
【００４１】
ユーザは、図１２に示すモード選択画面５２を見ながら、組み合わせモードで縫製するか、単体モードで縫製するかを決定する。前者の場合、ユーザは組み合わせボタン６をタッチして選択し、確定ボタン８をタッチして選択を確定させる。後者の場合、ユーザは単体ボタン７をタッチして選択し、確定ボタン８をタッチして選択を確定させる。
【００４２】
次いで、ＣＰＵ６１は、組み合わせモードが選択されたか否か判断する（Ｓ４）。例えば組み合わせモードが選択された場合（Ｓ４：ＹＥＳ）、ＲＡＭ６３の縫製中番号記憶領域６３Ａに記憶される縫製中番号をＤ１に設定する（Ｓ５）。なお、本実施形態では、縫製中番号を自動的にＤ１に設定しているが、それ以外の番号でもよく、更にはユーザに選択させるようにしてもよい。
【００４３】
そして、ＣＰＵ６１は、模様４１の刺繍データＤ１をＲＯＭ６２の刺繍データ記憶領域６２Ｂから読み込む（Ｓ６）。さらに、ＣＰＵ６１は、ＲＯＭ６２に記憶された組み合わせ情報テーブル２１（図４参照）を参照し、模様４１の位置情報を読み込む（Ｓ７）。組み合わせ情報テーブル２１の位置情報は、上述の通り、上中エリア４６Ｂを示す情報である。そこで、ＣＰＵ６１は、ＲＡＭ６３のバッファ６３Ｂにおいて、読み込んだ刺繍データＤ１を上中エリア４６Ｂに対応する位置に配置する。なお、ＣＰＵ６１は、例えば刺繍データＤ１の中心位置を、上中エリア４６Ｂの中心座標に合わせて刺繍データＤ１を配置する。
【００４４】
そして、ＣＰＵ６１は、ＲＡＭ６３のバッファ６３Ｂに記憶された刺繍データＤ１に基づき、刺繍枠３４に保持された加工布１００において、上中エリア４６Ｂに対応する位置に模様４１を縫製する（Ｓ８）。それ故、加工布上に縫製される模様４１の中心は、上中エリア４６Ｂの中心と一致する。ＣＰＵ６１は、模様４１の縫製が終了した場合、組み合わせ情報テーブル２１（図４参照）の縫製済情報を０から１に設定する（Ｓ９）。
【００４５】
次いで、ＣＰＵ６１は、模様４１と組み合わせて使用可能な未縫製の模様が有るか否か判断する（Ｓ１０）。ここでは、ＣＰＵ６１は、組み合わせ情報テーブル２１に記憶された組み合わせ情報を参照する。組み合わせ情報はＤ２〜Ｄ５である。そこで、ＣＰＵ６１は、刺繍データＤ２に対応する組み合わせ情報テーブル２２（図５参照）、刺繍データＤ３に対応する組み合わせ情報テーブル２３（図６参照）、刺繍データＤ４に対応する組み合わせ情報テーブル２４（図７参照）、刺繍データＤ５に対応する組み合わせ情報テーブル２５（図８参照）の各縫製済情報を参照する。ＣＰＵ６１は、縫製済情報が０である刺繍データの有無を判断することにより、模様４１と組み合わせて使用可能な未縫製の模様を抽出できる。例えば、図５〜図８に示す各テーブル２２〜２５を参照すると、何れの縫製済情報も０である。それ故、ＣＰＵ６１は、模様４１と組み合わせて使用可能な未縫製の模様が有ると判断し（Ｓ１０：ＹＥＳ）、図１３に示す組み合わせ画面５３を表示する（Ｓ１１）。
【００４６】
組み合わせ画面５３は、モード選択画面５２とレイアウトが同じである。ＣＰＵ６１は、組み合わせ情報テーブル２１の縫製済情報が１であるので、模様画像１４１をグレー表示し、かつ選択不能とする。故にユーザは模様画像１４１を選択できないことがわかる。また、組み合わせモードが実行されているので、組み合わせボタン６と単体ボタン７も模様画像１４１と同様にグレー表示し、かつ選択不能とする。ＣＰＵ６１は、ユーザに模様画像１４２〜１４５の中から次に縫製する模様の画像を選択させる。ＣＰＵ６１は、ユーザによって例えば模様画像１４２が選択された場合、例えばその模様画像１４２の外郭を太線にして強調表示する。なお、強調表示の方法はこれに限らず、例えば選択された模様画像の全体を明るく表示してもよく、マーク等を表示させてもよい。ユーザは、ＬＣＤ１５に表示された模様画像１４２〜１４５の中から一の模様画像を選択し、確定ボタン５で模様画像の選択を確定させる。
【００４７】
ＣＰＵ６１は、終了ボタン９が選択されたか否か判断する（Ｓ１２）。終了ボタン９が選択されたと判断した場合（Ｓ１２：ＹＥＳ）、組み合わせ縫製処理を終了する。終了ボタン９が選択されていないと判断した場合（Ｓ１２：ＮＯ）、ユーザによって模様画像１４２〜１４５の中から一の模様画像が選択され、確定ボタン８で確定されたか否か判断する（Ｓ１３）。確定ボタン８で確定されていないと判断した場合（Ｓ１３：ＮＯ）、Ｓ１２に戻って処理を繰り返す。例えば、ユーザによって模様画像１４２が選択され、確定ボタン８により確定されたと判断した場合（Ｓ１３：ＹＥＳ）、ＲＡＭ６３の縫製中番号記憶領域６３Ａに記憶された縫製中番号をＤ１からＤ２に設定変更する（Ｓ１４）。そして、ＣＰＵ６１はＳ６に戻り、模様４２の刺繍データＤ２について、上記処理を同様に繰り返す。
【００４８】
そして、模様４２の縫製が終了したら、ＣＰＵ６１は、組み合わせ情報テーブル２２の縫製済情報を０から１に設定する（Ｓ９）。ＣＰＵ６１は、模様４２と組み合わせて使用可能な未縫製の模様が有るか否か判断する（Ｓ１０）。ここでは、ＣＰＵ６１は、組み合わせ情報テーブル２２に記憶された組み合わせ情報を参照する。組み合わせ情報はＤ１、Ｄ３〜Ｄ５である。ＣＰＵ６１は、刺繍データＤ１、Ｄ３〜Ｄ５に対応する組み合わせ情報テーブル２１、２３〜２５を参照して縫製済情報が０である刺繍データの有無を判断する。この場合、Ｄ３〜Ｄ５の縫製済情報が０であるので、ＣＰＵ６１は模様４２と組み合わせて使用可能な未縫製の模様が有ると判断し（Ｓ１０：ＹＥＳ）、図１３に示す組み合わせ画面５３を表示する（Ｓ１１）。ユーザにより模様４３に対応する模様画像１４３が選択されたら（Ｓ１３）、縫製中番号をＤ３に設定する（Ｓ１４）。
【００４９】
上記と同様に、Ｓ６〜Ｓ８の処理を実行し、模様４３の縫製が終了したら、ＣＰＵ６１は、組み合わせ情報テーブル２３の縫製済情報を０から１に設定する（Ｓ９）。ＣＰＵ６１は、模様４３と組み合わせて使用可能な未縫製の模様が有るか否か判断する（Ｓ１０）。ここでは、ＣＰＵ６１は、組み合わせ情報テーブル２３に記憶された組み合わせ情報を参照する。組み合わせ情報はＤ１、Ｄ２、Ｄ４、Ｄ５である。ＣＰＵ６１は、刺繍データＤ１、Ｄ２、Ｄ４、Ｄ５に対応する組み合わせ情報テーブル２１、２２、２４、２５を参照して縫製済情報が０である刺繍データの有無を判断する。この場合、Ｄ４、Ｄ５の縫製済情報が０であるので、ＣＰＵ６１は模様４３と組み合わせて使用可能な未縫製の模様が有ると判断し（Ｓ１０：ＹＥＳ）、図１３に示す組み合わせ画面５３を表示する（Ｓ１１）。ユーザにより模様４４に対応する模様画像１４４が選択されたら（Ｓ１３）、縫製中番号をＤ４に設定する（Ｓ１４）。
【００５０】
上記と同様に、Ｓ６〜Ｓ８の処理を実行し、模様４４の縫製が終了したら、ＣＰＵ６１は、組み合わせ情報テーブル２４の縫製済情報を０から１に設定する（Ｓ９）。ＣＰＵ６１は、模様４４と組み合わせて使用可能な未縫製の模様が有るか否か判断する（Ｓ１０）。ここでは、ＣＰＵ６１は、組み合わせ情報テーブル２４に記憶された組み合わせ情報を参照する。組み合わせ情報はＤ１〜Ｄ３、Ｄ５である。ＣＰＵ６１は、刺繍データＤ１〜Ｄ３、Ｄ５に対応する組み合わせ情報テーブル２１〜２３、２５を参照して縫製済情報が０である刺繍データの有無を判断する。この場合、Ｄ５の縫製済情報が０であるので、ＣＰＵ６１は模様４４と組み合わせて使用可能な未縫製の模様が有ると判断し（Ｓ１０：ＹＥＳ）、図１３に示す組み合わせ画面５３を表示する（Ｓ１１）。ユーザにより模様４５に対応する模様画像１４５が選択されたら（Ｓ１３）、縫製中番号をＤ５に設定する（Ｓ１４）。
【００５１】
上記と同様に、Ｓ６〜Ｓ８の処理を実行し、模様４５の縫製が終了したら、ＣＰＵ６１は、組み合わせ情報テーブル２５の縫製済情報を０から１に設定する（Ｓ９）。ＣＰＵ６１は、模様４５と組み合わせて使用可能な未縫製の模様が有るか否か判断する（Ｓ１０）。ここでは、ＣＰＵ６１は、組み合わせ情報テーブル２５に記憶された組み合わせ情報を参照する。組み合わせ情報はＤ１〜Ｄ４である。ＣＰＵ６１は、刺繍データＤ１〜Ｄ４に対応する組み合わせ情報テーブル２１〜２４を参照して縫製済情報が０である刺繍データの有無を判断する。この場合、Ｄ１〜Ｄ４の全ての縫製済情報が１であるので、ＣＰＵ６１は模様４４と組み合わせて使用可能な未縫製の模様がないと判断し（Ｓ１０：ＮＯ）、組み合わせ縫製処理を終了する。レイアウト選択画面５１において選択された模様４１〜４５をレイアウトしてできる合成刺繍４６が加工布１００に縫製される。このように、ユーザは、模様４１〜４５を縫製する毎に面倒な設定や操作を行うことなく速やかに合成刺繍４６を縫製することができる。
【００５２】
ところで、ＣＰＵ６１は、モード選択画面５２をＬＣＤ１５に表示中に、組み合わせモードが選択されていないと判断した場合（Ｓ４：ＮＯ）単体モードが選択されたか否か判断する。例えば単体モードが選択されない場合（Ｓ１５：ＮＯ）、ＣＰＵ６１は、Ｓ４の処理に戻り、ユーザが組み合わせボタン６、又は単体ボタン７の何れかをタッチして選択したか監視する（Ｓ４、Ｓ１５）。単体モードが選択された場合（Ｓ１５：ＹＥＳ）、ＣＰＵ６１は、図１４に示す単体画面５４をＬＣＤ１５に表示する。単体画面５４は、組み合わせ画面５３の確定ボタン８の位置に戻るボタン１０が配置されている点が異なっている。他は、組み合わせ画面５３とレイアウトが同じである。
【００５３】
単体モードは、例えば、単体画面５４に表示されている模様画像１４１〜１４５から一の模様画像を選択し、選択された模様画像に対応する模様の縫製を行う。ユーザは、縫製を行う前に、刺繍枠３４を移動させて、縫製位置を調整する。縫製位置の調整が完了したら、ＬＣＤ１５に表示される模様画像１４１〜１４５から一の模様画像を選択し、縫製を行う。縫製が完了したら、模様画像１４１〜１４５から一の模様画像を選択し、縫製を続けることができる。また、縫製を終了することもできる。組み合わせモードと異なり、例えば、ユーザの所望の位置に模様画像１４１〜１４５に対応した模様４１〜４５を縫製することができる。また、同じ模様を連続して縫製することもできる。
【００５４】
ＣＰＵ６１は、縫製する模様が選択されたか否か判断する（Ｓ１６）。例えば、ユーザが模様画像１４１をタッチして選択した場合（Ｓ１６：ＹＥＳ）、ＣＰＵ６１は、ＲＡＭ６３のバッファ６３Ｂに記憶した刺繍データＤ１に基づき、刺繍枠３４に保持された加工布１００に縫製する（Ｓ１７）。縫製位置は、予めユーザにより調整される。例えば、ユーザは、刺繍枠移送装置３３を操作し刺繍枠３４を所望の位置に移動させ、刺繍枠３４に保持された加工布１００における縫製位置を調整することができる。一方、縫製する模様が選択されない場合（Ｓ１６：ＮＯ）、ユーザにより模様画像１４１〜１４５の何れかが選択されるまでＣＰＵ６１は待機状態となる。
【００５５】
ＣＰＵ６１は、戻るボタン１０が選択されたか否か判断する（Ｓ１８）。ユーザが戻るボタン１０をタッチして選択した場合（Ｓ１８：ＹＥＳ）、Ｓ１６の処理に戻り、ＣＰＵ６１は、模様が選択されるまで待機状態となる。例えば、模様４１に続いて模様４３を縫製する場合、ユーザは模様画像１４３をタッチして選択し、模様画像１４３に対応する模様４３を刺繍枠３４に保持された加工布１００に縫製することができる。
【００５６】
ＣＰＵ６１は、戻るボタン１０が選択されていないと判断した場合（Ｓ１８：ＮＯ）、終了ボタン９が選択されたか否か判断する（Ｓ１９）。終了ボタン９が選択されていないと判断した場合（Ｓ１９：ＮＯ）、Ｓ１８の処理に戻る。ＣＰＵ６１は、ユーザが戻るボタン１０、又は終了ボタン９の何れかをタッチして選択し、確定ボタン８をタッチして選択を確定するのを監視する（Ｓ１８、Ｓ１９）。一方、終了ボタン９が選択されたと判断した場合（Ｓ１９：ＹＥＳ）、ＣＰＵ６１は、単体モードにおける縫製を完了し、組み合わせ縫製処理を終了する。
【００５７】
なお、以上の説明において、図１のミシン１が、本発明の「ミシン」の一例である。図３の刺繍データ記憶領域６２Ｂが、本発明の「刺繍データ記憶手段」の一例である。図１０のＳ２、Ｓ４、Ｓ１３を実行するＣＰＵ６１が、本発明の「選択手段」の一例である。図１０のＳ８を実行するＣＰＵ６１が、本発明の「第一縫製手段」及び「第二縫製手段」の一例である。図１０のＳ１０を実行するＣＰＵ６１が、本発明の「抽出手段」である。図３の組み合わせ情報テーブル記憶領域６２Ｃが、本発明の「組み合わせ情報記憶手段」の一例である。図１のＬＣＤ１５が、本発明の「表示部」の一例である。図１０のＳ１１を実行するＣＰＵ６１が、本発明の「表示制御手段」の一例である。
【００５８】
以上説明したように、本実施形態のミシン１では、模様４１〜４５を組み合わせて縫製し、合成刺繍４６を作成することができる。ミシン１は模様４１を縫製する。模様４１の縫製が完了したら、ミシン１のＣＰＵ６１は組み合わせ情報テーブル２１を参照し、模様４１と組み合わせて使用可能な未縫製の模様に対応する刺繍データを抽出する。この場合、ＣＰＵ６１は模様４２〜４５に対応する刺繍データを抽出する。次に、ミシン１は模様４２を縫製する。模様４２の縫製が完了したら、ＣＰＵ６１は組み合わせテーブル２２を参照し、模様４２と組み合わせて使用可能な未縫製の模様に対応する刺繍データを抽出する。この場合、ＣＰＵ６１は模様４３〜４５に対応する刺繍データを抽出する。次に、ミシン１は模様４３を縫製する。模様４３の縫製が完了したら、ＣＰＵ６１は組み合わせテーブル２３を参照し、模様４３と組み合わせて使用可能な未縫製の模様に対応する刺繍データを抽出する。この場合、ＣＰＵ６１は模様４４、４５に対応する刺繍データを抽出する。次に、ミシン１は模様４４を縫製する。模様４４の縫製が完了したら、ＣＰＵ６１は組み合わせ情報テーブル２４を参照し、模様４４と組み合わせて使用可能な未縫製の模様に対応する刺繍データを抽出する。この場合、ＣＰＵ６１は模様４５に対応する刺繍データを抽出する。次に、ミシン１は模様４５を縫製する。模様４５の縫製が完了したら、ＣＰＵ６１は組み合わせテーブル２５を参照し、模様４５と組み合わせて使用可能な未縫製の模様に対応する刺繍データを抽出する。この場合、模様４１〜４４が縫製済みであるので、模様４５と組み合わせて使用可能な未縫製の模様に対応する刺繍データは抽出されない。これにより模様４１〜４５の縫製が完了し、合成刺繍４６が加工布１００に形成される。
【００５９】
また、本実施形態では、例えば、模様４２を縫製する際に、模様４２を縫製する位置の調整や、模様４２に対応する刺繍データＤ２の編集等の操作や設定を行うことなく、ユーザは合成刺繍４６を速やかに縫製することができる。また、単体でも装飾性を持ち刺繍模様として価値のある模様４１〜４５を組み合わせて縫製することにより、ユーザは装飾性のより高い合成刺繍４６を縫製することができる。
【００６０】
なお、本発明は上記実施形態に限定されることなく、種々の変更が可能である。ミシン１は、組み合わせモードにおいて合成刺繍４６を作成する。合成刺繍４６は、図２に示す模様４１〜４５を組み合わせたものであるが、例えば、文字の形状を呈する模様であってもよい。
【００６１】
また、上記実施形態では、合成刺繍４６を９つの縫製エリアに分割しているが、例えば、縦横それぞれ３つに分割した９つの縫製エリアではなく横一列に並ぶ複数の縫製エリアに分割してもよい。
【００６２】
また、上記実施形態では、合成刺繍４６を９つの縫製エリアに分割しているが、例えば、縦横それぞれ３つに分割した９つの縫製エリアではなく縦一列に並ぶ複数の縫製エリアに分割してもよい。
【００６３】
また、上記実施形態では、合成刺繍４６を９つの縫製エリアに分割しているが、例えば、分割数はこれに限らない。
【符号の説明】
【００６４】
１  ミシン
１５  ＬＣＤ
６１  ＣＰＵ
６２Ｂ  刺繍データ記憶領域
６２Ｃ  組み合わせ情報テーブル記憶領域
【図１】
2013111275.tif 000003
【図２】
2013111275.tif 000004
【図３】
2013111275.tif 000005
【図４】
2013111275.tif 000006
【図５】
2013111275.tif 000007
【図６】
2013111275.tif 000008
【図７】
2013111275.tif 000009
【図８】
2013111275.tif 000010
【図９】
2013111275.tif 000011
【図１０】
2013111275.tif 000012
【図１１】
2013111275.tif 000013
【図１２】
2013111275.tif 000014
【図１３】
2013111275.tif 000015
【図１４】
2013111275.tif 000016